(57)【要約】 【課題】荷台に乗車できるよう開閉扉を設け、荷台を荷物を積むだけでなく乗車スペースとしても利用可能にして変化があり面白みのあるピックアップトラックを提供する。【解決手段】運転室２０の後に上方に開口した荷台３０を備えたピックアップトラック１０において、荷台３０は、荷床４０と、側壁５０と、後扉７０とより成り、側壁５０に、乗降用の開閉扉６０を設けたことを特徴とする。【選択図】図１
2005193802.tif 000002
【特許請求の範囲】
【請求項１】
運転室の後に上方に開口した荷台を備えたピックアップトラックにおいて、
前記荷台は、荷床と、側壁と、後扉とより成り、
前記側壁に、乗降用の開閉扉を設けたことを特徴とするピックアップトラック。
【請求項２】
運転室の後に上方に開口した荷台を備えたピックアップトラックにおいて、
前記荷台は、荷床と、側壁と、後扉とより成り、
前記側壁に、乗降用の開閉扉を設け、
前記荷床の前部には、折畳み座席を設けたことを特徴とするピックアップトラック。
【請求項３】
運転室の後に上方に開口した荷台を備えたピックアップトラックにおいて、
前記荷台は、荷床と、側壁と、後扉とより成り、
前記側壁に、乗降用の開閉扉を設け、
前記荷床の前部には、低床部を設け、該低床部に、折畳んだときは荷床後部に連続する折畳み座席を設けたことを特徴とするピックアップトラック。
【請求項４】
前記乗降用の開閉扉は、煽り戸状であることを特徴とする請求項１，２または３に記載のピックアップトラック。
【請求項５】
前記乗降用の開閉扉は、引き戸状であることを特徴とする請求項１，２または３に記載のピックアップトラック。
【請求項６】
荷台の乗車部位を保護するガードバーを設けたことを特徴とする請求項１〜４または５に記載のピックアップトラック。
【発明の詳細な説明】
【技術分野】
【０００１】
本発明は、運転室の後に上方に開口した荷台を備えたピックアップトラックに関する。
【背景技術】
【０００２】
乗用車的乗り心地と、十分な荷物収容空間を持ったクルマとして、ピックアップトラックという車両のジャンルが確立され、利用されている。このようなピックアップトラックの従来の技術としては、前部に運転席を有する運転室が備えられ、運転室の後に上方に開口した荷台が設けられ、荷台の両側には固定側壁が設けられ、荷台の後端には手前に倒して開閉可能な後扉を設けるものが一般的であり、このような様式の元に、デザインがなされ、製造がなされていた。
【発明の開示】
【発明が解決しようとする課題】
【０００３】
しかしながら、このような従来の技術では、荷台は荷を積むことしか機能がなく、機能として単調であって、変化がなく面白みが加えられないという問題点があった。
【０００４】
本発明は、このような従来の技術が有する問題点に着目してなされたもので、荷台に乗車できるよう開閉扉を設け、荷台を荷物を積むだけでなく乗車スペースとしても利用可能にして変化があり面白みのあるピックアップトラックを提供することを目的としている。
【課題を解決するための手段】
【０００５】
かかる目的を達成するための本発明の要旨とするところは、次の各項の発明に存する。
［１］  運転室（２０）の後に上方に開口した荷台（３０）を備えたピックアップトラック（１０）において、
前記荷台（３０）は、荷床（４０）と、側壁（５０）と、後扉（７０）とより成り、
前記側壁（５０）に、乗降用の開閉扉（６０）を設けたことを特徴とするピックアップトラック（１０）。
【０００６】
［２］  運転室（２０）の後に上方に開口した荷台（３０）を備えたピックアップトラック（１０）において、
前記荷台（３０）は、荷床（４０）と、側壁（５０）と、後扉（７０）とより成り、
前記側壁（５０）に、乗降用の開閉扉（６０）を設け、
前記荷床（４０）の前部には、折畳み座席（８０）を設けたことを特徴とするピックアップトラック（１０）。
【０００７】
［３］  運転室（２０）の後に上方に開口した荷台（３０）を備えたピックアップトラック（１０）において、
前記荷台（３０）は、荷床（４０）と、側壁（５０）と、後扉（７０）とより成り、
前記側壁（５０）に、乗降用の開閉扉（６０）を設け、
前記荷床（４０）の前部には、低床部（４１）を設け、該低床部（４１）に、折畳んだときは荷床（４０）後部に連続する折畳み座席（８０）を設けたことを特徴とするピックアップトラック（１０）。
【０００８】
［４］  前記乗降用の開閉扉（６０）は、煽り戸状であることを特徴とする項１，２または３に記載のピックアップトラック（１０）。
【０００９】
［５］  前記乗降用の開閉扉（６０）は、引き戸状であることを特徴とする項１，２または３に記載のピックアップトラック（１０）。
【００１０】
［６］  荷台（３０）の乗車部位を保護するガードバー（９０）を設けたことを特徴とする項１〜４または５に記載のピックアップトラック（１０）。
【００１１】
前記本発明は次のように作用する。  
本発明に係るピックアップトラック（１０）は、運転室（２０）の後の上方に開口した荷台（３０）に荷物を積載し、運搬するのが基本的な使い方である。荷台（３０）は、荷床（４０）の側部の側壁（５０）と、後扉（７０）とにより囲まれており、荷台（３０）に積載された荷物が落ちないようになっている。
【００１２】
荷台（３０）を荷物積載にのみ用いる場合は、側壁（５０）に設けられた乗降用の開閉扉（６０）は閉じておき、開閉扉（６０）は側壁（５０）の一部として荷物の落下を防止する。荷物の積み下ろし時には開閉扉（６０）を利用することができる。
【００１３】
荷台（３０）に人が乗るような場合は、開閉扉（６０）を開いて乗降する。荷床（４０）の前部に折畳み座席（８０）が設けられていると、側壁（５０）の開閉扉（６０）から折畳み座席（８０）に円滑かつ容易に乗降することができる。荷床（４０）の前部に低床部（４１）が設けられていて折畳み座席（８０）が設けられていると、折畳み座席（８０）の背凭れ（８５）を起こしたときは、足元に低床部（４１）に連なる床面（２１）が広がるので乗り心地が良く、折畳み座席（８０）の背凭れ（８５）を折畳んだときは荷床（４０）後部に連続した荷床面が形成され、荷物を積載するのに具合が良い。
【００１４】
乗降用の開閉扉（６０）は、煽り戸状である場合は、外方に煽り開閉し、引き戸状であるときは、側壁（５０）に沿ってスライドして開閉するものである。荷台（３０）の乗車部位を保護するガードバー（９０）を設けたものは、横転したりしたときに着席者が保護される。
【発明の効果】
【００１５】
本発明に係るピックアップトラックによれば、荷台の側壁に開閉扉を設けたので、荷台を、荷物を積載するだけでなく、乗降の容易な乗車スペースとしても利用することができ、ピックアップトラックの利便性や用途を広げ、変化があり面白みのあるピックアップトラックとなる。
【発明を実施するための最良の形態】
【００１６】
以下、図面に基づき本発明の好適な一実施の形態を説明する。  
各図は本発明の一実施の形態を示している。  
図１および図２に示すように、ピックアップトラック１０は、運転室２０の後に上方に開口した荷台３０を備えて成り、荷台３０は、荷床４０と、側壁５０，５０と、後扉７０とより成り、側壁５０には乗降用の開閉扉６０が設けられている。運転室２０には、運転座席２５と助手座席２６とが設置されている。
【００１７】
荷床４０の前部には、運転室２０の床面２１と荷床４０との間に位置して低床部４１が設けられており、側壁５０の上部から低床部４１の側部にかけて、運転室２０後部のピラー２２との間に扉開口５１が開設され、開閉扉６０は扉開口５１を開閉する煽り戸状に配設されている。
【００１８】
図１および図５でわかるように、開閉扉６０の基部６１はヒンジ６２，６２によりピラー２２に枢支され、扉開口５１と開閉扉６０との隙間を塞ぐウエザストリップ６３が開閉扉６０に装着されている。また、図６に示すように、開閉扉６０を開いたときに安定させるドアチェック６４が設けられている。
【００１９】
図１、図３および図４でわかるように、開閉扉６０の遊端部６５には、扉開口５１に装着されたストライカ５２に係脱するラッチ６７を有するドアロック６６が設けられ、開閉扉６０の内面にはドアロック６６の内部操作ハンドル６８ａが設けられ、外側には外部操作ハンドル６８ｂが設けられている。
【００２０】
図１および図７、図１０でわかるように、低床部４１には、座部８１と背凭れ８５により構成され、背凭れ８５を折畳んだときは、背凭れ８５の背面が荷床４０後部に連続する折畳み座席８０が設けられている。折畳み座席８０の背凭れ８５は、基部がヒンジ８６で低床部４１の立上り面４２に前方に折畳み可能に枢着され、背凭れ８５の上端部はロック機構８７で側壁５０に固設されたストッパ５５に押し当てて起立位置に保持できるようになっている。背凭れ８５の背面には荷プロテクタ８２が装着されている。
【００２１】
図８および図９に示すように、ロック機構８７は、側壁５０に固設されたストライカ８８と背凭れ８５の上端部に設けられたラッチ部材８９とにより構成され、ラッチ部材８９のフック部８９ａがストライカ８８に係脱し、ラッチ部材８９のロック解除レバー８９ｂで係脱操作するよう構成されている。
【００２２】
図１および図２でわかるように、荷台３０の乗車部位を保護するガードバー９０が設けられている。ガードバー９０は、運転室２０の後縁に沿って床面２１に立設された門形部９１と、扉開口５１の上方を保護するよう門形部９１から延ばして荷床４０に固結された側部バー９２とにより構成されている。
【００２３】
次に作用を説明する。  
ピックアップトラック１０は、運転室２０の後の上方に開口した荷台３０に荷物を積載し、運搬するのが基本的な使い方である。荷台３０は、荷床４０の側部の側壁５０と、後扉７０とにより囲まれており、荷台３０に積載された荷物が落ちないようになっている。
【００２４】
荷台３０を荷物積載にのみ用いる場合は、側壁５０に設けられた乗降用の開閉扉６０は閉じておき、開閉扉６０は側壁５０の一部として荷物の落下を防止する。荷物の積み下ろし時には開閉扉６０を利用することができる。
【００２５】
荷台３０に人が乗るような場合は、開閉扉６０を開いて乗降する。開閉扉６０が閉じているとき、ドアロック６６のラッチ６７が扉開口５１のストライカ５２に係合して閉扉状態が保たれている。外部操作ハンドル６８ｂを外側から操作すると、ラッチ６７とストライカ５２との係合が外れ、開閉扉６０は、ヒンジ６２を中心として開扉することができる。
【００２６】
そこで、乗り込む人は、側壁５０の開閉扉６０から荷床４０の前部の折畳み座席８０の座部８１に円滑かつ容易に乗降することができる。荷床４０の前部に低床部４１が設けられていてそこに折畳み座席８０が設けられているので、折畳み座席８０の背凭れ８５を起こしたときは、足元に低床部４１に連なる低い床面２１が広がるので乗り心地が良い。
【００２７】
乗り込んでから開閉扉６０を閉じると、ドアロック６６のラッチ６７が扉開口５１のストライカ５２に係合して閉扉状態が保たれる。降りるときは、逆に中から内部操作ハンドル６８ａを操作し、ラッチ６７とストライカ５２との係合を外して開閉扉６０を開扉する。
【００２８】
折畳み座席８０は、使用状態では、図１に示すように背凭れ８５が引き起こされており、図９に見るように、ラッチ部材８９のフック部８９ａがストライカ８８に係合し、ストッパ５５に押し当てられて起立状態が保持されている。荷床４０全体を荷台３０にしたい場合は、ラッチ部材８９のロック解除レバー８９ｂを引き上げて、フック部８９ａをストライカ８８から外す。そこで背凭れ８５を前に倒すことができるようになるので、図７の想像線および図１０に示すようにヒンジ８６により背凭れ８５を前に倒して座部８１の上に背凭れ８５を重ねる。このように、折畳み座席８０の背凭れ８５を座部８１の上に折畳むと、荷床４０後部に連続した広い荷床面が形成され、荷物を積載するのに具合が良い。
【００２９】
ガードバー９０は、荷台３０の乗車部位を保護する。ピックアップトラック１０が横転したりしたときに着席者がガードバー９０の内側に居れば、身体が外部から損傷を受けないように保護される。
【００３０】
なお、側壁の開閉扉は引き戸状とすることができ、その場合は、開閉するとき扉が大きく突出することがなく、安全である。また、荷台と運転席との間は、幌で仕切るようにしても良く、隔壁を設けても良い。さらに、荷台を幌で覆ってキャブリオレ風にすることもできる。
【図面の簡単な説明】
【００３１】
【図１】本発明の一実施の形態に係るピックアップトラックの開閉扉を開いた状態を示す斜視図である。
【図２】本発明の一実施の形態に係るピックアップトラックの一部を省略して示した斜視図である。
【図３】本発明の一実施の形態に係るピックアップトラックの開閉扉を閉じた状態を示す斜視図である。
【図４】図３のIV―IV線断面図である。
【図５】図３のＶ―Ｖ線断面図である。
【図６】図３のVI―VI線断面図である。
【図７】本発明の一実施の形態に係るピックアップトラックの後部の縦断面図である。
【図８】本発明の一実施の形態に係るピックアップトラックの折畳み座席のロック機構近傍を示す分解斜視図である。
【図９】図７のIX部位の詳細図である。
【図１０】本発明の一実施の形態に係るピックアップトラックの折畳み座席の背凭れを倒した状態を示す斜視図である。
【符号の説明】
【００３２】
１０…ピックアップトラック
２０…運転室
２１…床面
２２…ピラー
２５…運転座席
２６…助手座席
３０…荷台
４０…荷床
４１…低床部
４２…立上り面
５０…側壁
５１…扉開口
５２…ストライカ
５５…ストッパ
６０…開閉扉
６１…基部
６２…ヒンジ
６３…ウエザストリップ
６４…ドアチェック
６５…遊端部
６６…ドアロック
６７…ラッチ
６８ａ…内部操作ハンドル
６８ｂ…外部操作ハンドル
７０…後扉
８０…折畳み座席
８１…座部
８２…荷プロテクタ
８５…背凭れ
８６…ヒンジ
８７…ロック機構
８８…ストライカ
８９…ラッチ部材
８９ａ…フック部
８９ｂ…ロック解除レバー
９０…ガードバー
９１…門形部
９２…側部バー
【図１】
2005193802.tif 000003
【図２】
2005193802.tif 000004
【図３】
2005193802.tif 000005
【図４】
2005193802.tif 000006
【図５】
2005193802.tif 000007
【図６】
2005193802.tif 000008
【図７】
2005193802.tif 000009
【図８】
2005193802.tif 000010
【図９】
2005193802.tif 000011
【図１０】
2005193802.tif 000012
【手続補正書】
【提出日】平成16年1月19日(2004.1.19)
【手続補正１】
【補正対象書類名】図面
【補正対象項目名】全図
【補正方法】変更
【補正の内容】
【図１】
2005193802.tif 000013
【図２】
2005193802.tif 000014
【図３】
2005193802.tif 000015
【図４】
2005193802.tif 000016
【図５】
2005193802.tif 000017
【図６】
2005193802.tif 000018
【図７】
2005193802.tif 000019
【図８】
2005193802.tif 000020
【図９】
2005193802.tif 000021
【図１０】
2005193802.tif 000022